(57)【要約】【課題】電動昇降棚の収納スペース部に、ユーザーが自分の使い勝手に合わせた収納形態を作り出すことができ、また、収納スペース部に被収納物を出し入れ可能な昇降棚付き収納庫を提供する。【解決手段】昇降棚付き収納庫１は、ケース１０４と、ケースに電動で昇降可能に取付けられ収納引き出し可能な電動昇降棚１０５とを備え、システムキッチンの上部に配置される。電動昇降棚は、一対の側板１４３の間に縦方向に設けられて電動昇降棚の内部を、主要収納棚部３０と収納スペース部３１とに区画する仕切り板４０と、収納スペース部に設けられ、側板と仕切り板４０に取付けられた受けレール４１と、スライド自在に受けレールに係合し被収納物を支持する支持部材４２とを有する。【選択図】    図４
2004298424.tif 000002
【特許請求の範囲】
【請求項１】
下方が開口したケースと、このケースに電動で昇降可能に取付けられて収納引き出し可能な電動昇降棚とを備え、キッチンの上部に配置される昇降棚付き収納庫であって、
前記電動昇降棚は、
一対の側板の間に縦方向に設けられて前記電動昇降棚の内部を、幅広で乾燥または収納の機能を有する主要収納棚部と幅の狭い収納スペース部とに区画する少なくとも１枚の仕切り板と、
前記収納スペース部に少なくとも一つ設けられ、前記側板および前記仕切り板の少なくとも一方に前後方向にほぼ水平に取付けられた受けレールと、
前後方向にスライド自在にこの受けレールに係合し被収納物を支持可能な支持部材とを備えたことを特徴とする昇降棚付き収納庫。
【請求項２】
請求項１に記載の昇降棚付き収納庫であって、
前記受けレールは、前記側板に少なくとも一つ設けられるとともに、前記仕切り板の前記収納スペース部側の面に少なくとも一つ設けられていることを特徴とする昇降棚付き収納庫。
【請求項３】
請求項１または２に記載の昇降棚付き収納庫であって、
前記支持部材は、前記被収納物の種類に応じて複数種類設けられ、前記受けレールに着脱可能であることを特徴とする昇降棚付き収納庫。
【請求項４】
請求項１，２または３に記載の昇降棚付き収納庫であって、前記電動昇降棚は、２枚の前記仕切り板で仕切られた前記主要収納棚部の両側に前記収納スペース部が一対配置されていることを特徴とする昇降棚付き収納庫。
【請求項５】
請求項１ないし４のいずれかの項に記載の昇降棚付き収納庫であって、
この昇降棚付き収納庫には、下方が開口した付属ケースとこの付属ケースに手動で昇降可能に取付けられて収納引き出し可能な手動昇降棚とを有する昇降棚部が並設され、
前記手動昇降棚は、
一対の側板の間に縦方向に設けられて前記手動昇降棚の内部を複数の収納スペース部に区画する少なくとも１枚の仕切り板と、
前記収納スペース部に少なくとも一つ設けられ、前記側板および前記仕切り板の少なくとも一方に前後方向にほぼ水平に取付けられた受けレールと、
前後方向にスライド自在にこの受けレールに係合し被収納物を支持可能な支持部材とを備えたことを特徴とする昇降棚付き収納庫。
【発明の詳細な説明】
【０００１】
【発明の属する技術分野】
本発明は、システムキッチン（複合厨房家具）などの上部に配置される昇降棚付き収納庫に関する。
【０００２】
【従来の技術】
台所の上方空間を有効に活用するために、システムキッチンなどの上部に吊戸棚や収納庫を配置する場合がある。この吊戸棚や収納庫は高い位置にあるので、椅子などを使って被収納物の出し入れをすることが多い。
そこで、昇降動作可能な昇降棚を吊戸棚などに設け、この昇降棚を下方に引き出し可能にした昇降棚付き収納庫が知られている。
【０００３】
たとえば、特許文献１（実開昭５７−１２０４５号公報）には、正面戸棚部と、この正面戸棚部の背部に設けられ前方が開口した収納箱（昇降棚）とからなり、且つこの収納箱を下方に引き出し自在となした吊戸棚が提案されている。
この吊戸棚は、椅子などに頼らなくても被収納物を吊戸棚の奥の方に容易に出し入れすることを目的としており、収納箱は、前方のみが開口した矩形状をなしている。
そして、収納箱の内側には、被収納物を整理するための吊金具や棚などの各種部材が設けられており、これら各種部材は、決まった位置に固定されている。
【０００４】
【特許文献１】
実開昭５７−１２０４５号公報（第１頁，第１図，第２図）
【０００５】
【発明が解決しようとする課題】
ユーザー（人）が流し台（キッチン）で調理などを行うとき、収納箱に対して被収納物を出し入れする状態は、個人個人で異なっており、また調理作業の内容によっても異なる場合が多い。
そのため、ユーザーは、吊金具や棚などを自分の使い勝手に合わせて変更したいと思ってもなかなか難しいので、不便を感じながらも収納箱に被収納物を出し入れするというのが実情であった。前記特許文献１にも、そのための対策に関する記載はない。
また、乾いた被収納物と濡れた被収納物があると、これらを同じ昇降棚内に収納するのは湿気の点で好ましくないので、このような場合でも良好な収納形態を任意に作り出すことができれば好都合である。
【０００６】
本発明は、このような課題を解決するためになされたもので、電動昇降棚に形成された収納スペース部に、ユーザーが自分の使い勝手に合わせた良好な収納形態を任意に且つ容易に作り出すことができ、また、収納スペース部に対して被収納物を容易に出し入れすることができる昇降棚付き収納庫を提供する。
【０００７】
【課題を解決するための手段】
上述の目的を達成するため、本発明にかかる昇降棚付き収納庫は、下方が開口したケースと、このケースに電動で昇降可能に取付けられて収納引き出し可能な電動昇降棚とを備え、キッチンの上部に配置される昇降棚付き収納庫であって、前記電動昇降棚は、一対の側板の間に縦方向に設けられて前記電動昇降棚の内部を、幅広で乾燥または収納の機能を有する主要収納棚部と幅の狭い収納スペース部とに区画する少なくとも１枚の仕切り板と、前記収納スペース部に少なくとも一つ設けられ、前記側板および前記仕切り板の少なくとも一方に前後方向にほぼ水平に取付けられた受けレールと、前後方向にスライド自在にこの受けレールに係合し被収納物を支持可能な支持部材とを備えている。
前記受けレールは、前記側板に少なくとも一つ設けられるとともに、前記仕切り板の前記収納スペース部側の面に少なくとも一つ設けられているのが好ましい。
前記支持部材は、前記被収納物の種類に応じて複数種類設けられ、前記受けレールに着脱可能であるのが好ましい。
前記電動昇降棚は、２枚の前記仕切り板で仕切られた前記主要収納棚部の両側に前記収納スペース部が一対配置されているのが好ましい。
前記昇降棚付き収納庫には、下方が開口した付属ケースとこの付属ケースに手動で昇降可能に取付けられて収納引き出し可能な手動昇降棚とを有する昇降棚部が並設され、前記手動昇降棚は、一対の側板の間に縦方向に設けられて前記手動昇降棚の内部を複数の収納スペース部に区画する少なくとも１枚の仕切り板と、前記収納スペース部に少なくとも一つ設けられ、前記側板および前記仕切り板の少なくとも一方に前後方向にほぼ水平に取付けられた受けレールと、前後方向にスライド自在にこの受けレールに係合し被収納物を支持可能な支持部材とを備えた場合であってもよい。
【０００８】
【発明の実施の形態】
以下、本発明にかかる実施の形態の一例を、図１ないし図８を参照して説明する。
図１は、昇降棚付き収納庫とシステムキッチンの正面図、図２は図１のＩＩ−ＩＩ線平面図、図３は、図１に示す昇降棚付き収納庫と昇降棚部の概略正面図、図４，図５は、それぞれ図１に示す昇降棚付き収納庫の詳細な正面図，側面から見た内部構造図である。
図６（Ａ）は、本発明の基本的な構成の昇降棚付き収納庫の正面図、図６（Ｂ）は、その変形例にかかる昇降棚付き収納庫の正面図、図７は、被収納物を収納した状態の昇降棚の部分正面図、図８は、被収納物を収納した状態の昇降棚付き収納庫の正面図である。
なお、説明の便宜上、図１の左，右，上，下，紙面前方，紙面後方を、それぞれ昇降棚付き収納庫とシステムキッチンの左方，右方，上方，下方，前方，後方として説明する。
【０００９】
図１ないし図８に示すように、本実施形態では、台所に設置されるキッチンの一種であるシステムキッチン（複合厨房家具）２の上部に昇降棚付き収納庫（以下、収納庫と記載）１が配置された場合を例にとって説明する。なお、収納庫１は、キッチンとしての流し台の上部に配置された場合であってもよい。
図１ないし図５に示す実施形態では、電動の収納庫１に手動（または、電動）の昇降棚部３が並設された場合を示している。なお、本発明にかかる昇降棚付き収納庫１自体の基本的な構成は、図６（Ａ）に示すように電動昇降棚７のみが設けられた場合である。したがって、収納庫１に昇降棚部３が並設されていない場合であってもよい。
【００１０】
システムキッチン２は、床面上に設置されたキャビネット１０を有している。キャビネット１０には、各種形状，構造の複数の引き出し（引き出し１１，１２，１３など）が、引き出し収納自在に設けられている。
キャビネット１０は、左方から右方に順次並設された、コンロキャビネット１４，一方の調理台キャビネット１５，シンクキャビネット１６および他方の調理台キャビネット１７と、キャビネット１４〜１７の上部を覆って取付けられたワークトップ１８とにより構成されている。
コンロキャビネット１４にはコンロ１９が組み込まれている。一方の調理台キャビネット１２の上部のワークトップ１８は調理台２０になっている。シンクキャビネット１６の上部のワークトップ１８には、シンク２１が形成されている。
他方の調理台キャビネット１７には食器洗い乾燥機２２が取付けられ、上部のワークトップ１８は調理台２０になっている。
各キャビネット１４〜１７の内方の左右には、側板２３が縦方向に設けられ、側板２３もキャビネット１０の一部を構成している。隣合うキャビネット１４〜１７同士の間の側板２３は仕切り壁の機能を有しており、コンロキャビネット１４の左側の側板２３と他方の調理台キャビネット１７の右側の側板２３は、それぞれ外壁板としての機能を有している。
【００１１】
このように、コンロキャビネット１４に、コンロ１９，複数の引き出しなどが設けられて、単体としての厨房家具が構成されている。これと同様に、他のキャビネット１５，１６もそれぞれシンク２１や引き出しなどを有し、キャビネット１７も食器洗い乾燥機２２と引き出しを有しているので、システムキッチン２は、単体としての厨房家具が複合した複合厨房家具を構成している。
各キャビネット１４〜１７にそれぞれ設けられた引き出しのうち、キャビネット１４〜１７の最下段に配置された引き出し（引き出し１１など）は、蹴込み２４が形成され内部の収納用スペースを広くするように蹴込み２４の奥も含んだ構成を有する足下収納引き出しである。
【００１２】
収納庫１の横にはレンジフード２６が並設されている。レンジフード２６は、コンロ１９の上方で且つ収納庫１の左側に配置されている。レンジフード２６は、台所の壁および天井の一方または両方に、取付け具（図示せず）を介して支持されている。
なお、上方に延びた立ち上がり部（図示せず）をシステムキッチン２に設け、この立ち上がり部にレンジフード２６を設けてもよい。
【００１３】
収納庫１は、端部（ここでは、左側端部）に昇降棚部３を有してシステムキッチン２の上部に配置されている。収納庫１は、レンジフード２６と並んで右方向にほぼ水平に延びて配置された吊戸棚になっており、台所の壁および天井の一方または両方に取付け具（図示せず）を介して支持されている。
収納庫１は、下方が開口したケース１０４と、ケース１０４に電動で昇降可能に取付けられて収納引き出し可能な電動昇降棚１０５とを備えている。電動昇降棚１０５内には、被収納物６を出し入れ可能に収納できる。
被収納物６の種類としては、調理中に頻繁に使用されるものたとえば、調味料６ａ，ふきん６ｂ，まな板６ｃ，キッチンペーパー６ｄ，小物類６ｅ，食品類（粉物，パック類），お茶類，その他各種のものがある。
電動昇降棚１０５は、左右に縦方向に設けられた互いに平行な一対の側板１４３と、側板１４３の間にほぼ水平に取付けられた底板１４７および天井板（図示せず）と、側板１４３，底板１４７，天井板に固定されて背面に配置された背板１４８とを有し、前方が開放された矩形状をなしている。
【００１４】
ケース１０４は、矩形状に形成されて下方が開口している。ケース１０４の後面と収納棚部３の後面は、レンジフード２６の後面と面一になっており、ケース１０４の上面と収納棚部３の上面とレンジフード２６の上面は、ほぼ水平方向に面一になっている。
したがって、収納庫１，昇降棚部３およびレンジフード２６を、台所の壁面や天井面などに対して隙間がないように容易に設置することができる。
【００１５】
電動昇降棚１０５は、少なくとも一枚（ここでは、二枚）の仕切り板４０と、受けレール４１と、支持部材４２とを備えている。二枚の仕切り板４０は、一対の側板１４３の間に縦方向に設けられている。仕切り板４０は、電動昇降棚１０５の内部を、幅広で乾燥または収納の機能を有する主要収納棚部３０と、幅の狭い収納スペース部３１とに区画している。
収納棚部３０において、その上下方向の中間に棚３２がほぼ水平に配置されている。棚３２の両端部は仕切り板４０に固定され、後面は背板１４８に固定されている。主要収納棚部３０は乾燥の機能を有しているので、ここに被収納物を収納すれば、温風により被収納物が乾燥する。なお、主要収納棚部３０は、収納の機能のみを有し乾燥機能がない場合であってもよい。
主要収納棚部３０の両側に一対の収納スペース部３１が配置されている。各収納スペース部３１は、一方の側板１４３，仕切り板４０，底板１４７，天井板，背板１４８により、前方が開放した矩形状をなしている。
【００１６】
図１〜図５，図６（Ａ），図７，図８に示す電動昇降棚１０５，７では、二枚の仕切り板４０で仕切られた主要収納棚部３０の両側に一対の収納スペース部３１が設けられた場合を示している。このようにすれば、電動昇降棚全体としての左右のバランスがよいので、設計上および外観上好ましい。
なお、図６（Ｂ）に示す電動昇降棚７ａのように、主要収納棚部３０の一方のみ（ここでは、右方のみ）に収納スペース部３１が設けられた場合であってもよい。
この電動昇降棚７ａでは、一枚の仕切り板４０が、一対の側板１４３の間に縦方向に設けられて、電動昇降棚７ａの内部を主要収納棚部３０と収納スペース部３１とに区画している。
【００１７】
電動昇降棚１０５では、受けレール４１は、収納スペース部３１毎に少なくとも一つ（ここでは、二つまたは三つ）設けられ、側板１４３および仕切り板４０の少なくとも一方（ここでは、両方）に、前後方向にほぼ水平に取付けられている。
左側の収納スペース部３１における受けレール４１は、側板１４３に少なくとも一つ（ここでは、一つ）設けられるとともに、仕切り板４０の収納スペース部３１側の面に少なくとも一つ（ここでは、二つ）設けられている。
右側の収納スペース部３１における受けレール４１は、側板１４３には設けられていないが、仕切り板４０の収納スペース部３１側の面には少なくとも一つ（ここでは、二つ）設けられている。仕切り板４０を縦方向に配置したので、受けレール４１を、この仕切り板４０の任意の高さ位置に設けることができる。
支持部材４２は、前後方向にスライド自在に受けレール４１に係合し、被収納物６を支持可能である。受けレール４１にそれぞれ支持部材４２を係合させて、各支持部材４２で被収納物６をそれぞれ支持すれば、収納スペース部３１の空間全体を有効に使って被収納物６を収納することができる。
【００１８】
電動昇降棚１０５（電動昇降棚７，７ａも同様）によれば、ユーザーが自分の使い勝手に合わせた良好な収納形態を任意に且つ容易に作り出すことができ、また、収納スペース部３１に対して被収納物６を容易に出し入れすることができる。
収納庫１の前方表面は、平面視でシステムキッチン２の前方表面より後方に下がった位置に配置されている。電動昇降棚１０５は、下方に引き出されるとシンク２１の後方側に位置する。
ユーザーがシステムキッチン２で調理などの作業を行うとき、電動昇降棚１０５を下方に引き出した状態で被収納物６を容易に出し入れできて使い勝手がよく、また、電動昇降棚１０５が下方に引き出されてもそれほど作業の邪魔にはならない。
【００１９】
左右の各収納スペース部３１では、二つの受けレール４１が仕切り板４０の表面に上下に並んでほぼ平行に取付けられている。左の収納スペース部３１の側板１４３の内面には、一つの受けレール４１が取付けられている。収納スペース部３１に設ける受けレール４１の数は他の場合であってもよい。
受けレール４１には、スライド部材（図示せず）が前後方向にスライド自在に係合しており、このスライド部材は支持部材４２の所定位置に固定されている。したがって、支持部材４２は、受けレール４１とスライド部材を介して電動昇降棚１０５に対して前後方向に自在に移動する。
【００２０】
支持部材４２は、被収納物６の種類に応じて複数種類設けられ、受けレール４１に着脱可能である。支持部材４２は、各種の被収納物６を支持し易いように、線材や板材などにより所定形状に形成されている。
たとえば、支持部材４２として、調味料ラック４２ａは調味料６ａを、ふきん掛けラック４２ｂはふきん６ｂを、まな板ラック４２ｃはまな板６ｃを、ペーパーホルダ４２ｄはキッチンペーパー６ｄを、小物ラック４２ｅは小物類６ｅを、それぞれ支持可能である。
【００２１】
各収納スペース部３１における収納形態の分類の一例として、調味料６ａを収納する調味料収納タイプ（図７（Ａ））、ふきん６ｂおよびまな板６ｃなど濡れた状態の被収納物を収納するウェット収納タイプ（図７（Ｂ））、および、キッチンペーパー６ｄや小物類６ｅなど乾いた状態の被収納物を収納するドライ収納タイプ（図７（Ｃ））などがある。
図７（Ａ）〜（Ｃ）に示すような収納形態を任意に組み合わせることにより、たとえば、図８（Ａ），（Ｂ）に示すような良好な収納形態を容易に作り出すことができる。
図８（Ａ）に示す電動昇降棚１０５，７では、左側の収納スペース部３１がウェット収納タイプ、右側の収納スペース部３１がドライ収納タイプである。この場合、電動昇降棚１０５，７をケース１０４に収納しても、仕切り板４０で電動昇降棚１０５，７が仕切られているので、濡れたままのふきん６ｂやまな板６ｃの湿気が、キッチンペーパー６ｄなどを湿らせる恐れはない。
図８（Ｂ）に示す電動昇降棚１０５，７は、左側の収納スペース部３１には、レードルラックを設けて濡れた状態のレードルなどを収納可能にしたウェット収納タイプで、右側の収納スペース部３１はドライ収納タイプの場合である。
【００２２】
支持部材４２の取付け位置，種類，数などを容易に変更できるので、被収納物６は、電動昇降棚１０５，７内の所望の位置で支持部材４２に支持される。こうして、各種の収納形態を、ユーザーは自分の使い勝手に合わせて任意に且つ容易に作り出すことができる。
したがって、電動昇降棚１０５，７では、被収納物６の種類などに合わせて、上述の同じ収納タイプまたは異なった収納タイプを任意に組み合わせて収納することができる。
仕切り板４０で電動昇降棚１０５，７が仕切られているので、濡れた状態の被収納物が、乾いた状態の被収納物と直接接触することはなく湿気も防げる。
支持部材４２（各種のラック４２ａ〜４２ｃ，４２ｅ，レードルラック，ペーパーホルダ４２ｄ）は、受けレール４１に着脱可能になっている。したがって、電動昇降棚１０５，７の奥の方に被収納物６を出し入れするときは、支持部材４２ごと受けレール４１から取外して、被収納物６を支持部材４２に対して収納，取り出しすることができる。
【００２３】
電動昇降棚１０５の把手１４５の操作部１４９を操作すれば、操作部１４９から出力される信号でモータなどを有する駆動部１５０が駆動される。これにより、電動昇降棚１０５が、矢印Ｅに示すように昇降してケース１０４に対して収納引き出し可能になる。
操作部１４９を操作すれば、電動昇降棚１０５は、駆動部１５０に駆動されて上昇動作と下降動作を行うとともに、任意の位置で停止可能である。したがって、システムキッチン２での調理などの作業時に、電動昇降棚１０５を容易に下方に引き出すことができる。この状態で、主要収納棚部３０とその両側の収納スペース部３１とに対して、被収納物６を出し入れする。
上述の収納庫１によれば、システムキッチン２での調理などの作業時に、電動昇降棚１０５を下方に引き出した状態で主要収納棚部３０のほかに収納スペース部３１に容易に出し入れできるので使い勝手がよく、電動昇降棚１０５は下降してもそれほど作業の邪魔にはならない。
【００２４】
図１，図３，図７に示すように、収納庫１に並設された収納棚部３は、下方が開口した付属ケース４と、この付属ケース４に手動で昇降可能に取付けられて収納引き出し可能な手動昇降棚５とを有している。
手動昇降棚５は、電動昇降棚１０５の左の収納スペース部３１と右の収納スペース部３１とを直接合わせたような構成になっている。すなわち、手動昇降棚５は、少なくとも一枚（ここでは、一枚）の仕切り板４０と、受けレール４１と、支持部材４２とを備えている。
仕切り板４０，受けレール４１，支持部材４２は、電動昇降棚１０５における仕切り板４０，受けレール４１，支持部材４２とそれぞれほぼ共通である。仕切り板４０は、一対の側板４３の間に縦方向に設けられて、手動昇降棚５の内部を複数（ここでは、二つ）の収納スペース部４４に区画している。
【００２５】
受けレール４１は、各収納スペース部４４に少なくとも一つ（ここでは、三つ）設けられ、側板４３および仕切り板４０の少なくとも一方（ここでは、両方）に前後方向にほぼ水平に取付けられている。支持部材４２は、前後方向にスライド自在に受けレール４１に係合し被収納物６を支持可能である。
昇降棚部３は、収納庫１の左側端部に取付けられて、一つのユニットを構成している。昇降棚部３がユニットになっているので、収納庫１に昇降棚部３を容易に組み込むことができる。
【００２６】
本実施形態では、昇降棚部３が収納庫１の左方の端部に配置されているが、収納庫１の右方の端部に配置してもよい。すなわち、システムキッチン，昇降棚付き収納庫およびレンジフード２６が、本実施形態のものとは左右対称の構成で、レンジフード２６とコンロ１９が右側に配置されている場合には、収納庫１は、システムキッチンの上部に配置され、且つ収納棚部３を収納庫１の右側端部に配設するのが好ましい。
このように、昇降棚部３を収納庫１に並設すれば、電動昇降棚１０５と手動昇降棚５を適宜使い分けることができるので、作業の能率がさらに向上する。
【００２７】
以上、本発明の実施形態（変形例を含む）を説明したが、本発明は上述の実施形態に限定されるものではなく、本発明の要旨の範囲で種々の変形，付加などが可能である。
なお、各図中同一符号は同一または相当部分を示す。
【００２８】
【発明の効果】
本発明にかかる昇降棚付き収納庫は、上述のように構成したので、電動昇降棚に形成された収納スペース部に、ユーザーが自分の使い勝手に合わせた良好な収納形態を任意に且つ容易に作り出すことができ、また、収納スペース部に対して被収納物を容易に出し入れすることができる。
【図面の簡単な説明】
【図１】図１ないし図８は本発明の実施形態の一例を示す図で、図１は昇降棚付き収納庫とシステムキッチンの正面図である。
【図２】図１のＩＩ−ＩＩ線平面図である。
【図３】図１に示す昇降棚付き収納庫と昇降棚部の概略正面図である。
【図４】図１に示す昇降棚付き収納庫の詳細な正面図である。
【図５】図１に示す昇降棚付き収納庫を側面から見た内部構造図である。
【図６】図６（Ａ）は、本発明の基本的な構成の昇降棚付き収納庫の正面図、図６（Ｂ）は、その変形例にかかる昇降棚付き収納庫の正面図である。
【図７】被収納物を収納した状態の昇降棚の部分正面図である。
【図８】被収納物を収納した状態の昇降棚付き収納庫の正面図である。
【符号の説明】
１        昇降棚付き収納庫
２        システムキッチン（キッチン）
３        昇降棚部
４        付属ケース
５        手動昇降棚
６        被収納物
６ａ      調味料（被収納物）
６ｂ      ふきん（被収納物）
６ｃ      まな板（被収納物）
６ｄ      キッチンペーパー（被収納物）
６ｅ      小物類（被収納物）
７，７ａ  電動昇降棚
３０      主要収納棚部
３１      収納スペース部
４０      仕切り板
４１      受けレール
４２      支持部材
４２ａ    調味料ラック（支持部材）
４２ｂ    ふきん掛けラック（支持部材）
４２ｃ    まな板ラック（支持部材）
４２ｄ    ペーパーホルダ（支持部材）
４２ｅ    小物類ラック（支持部材）
４３      側板
４４      収納スペース部
１０４    ケース
１０５    電動昇降棚
１４３    側板
【図１】
2004298424.tif 000003
【図２】
2004298424.tif 000004
【図３】
2004298424.tif 000005
【図４】
2004298424.tif 000006
【図５】
2004298424.tif 000007
【図６】
2004298424.tif 000008
【図７】
2004298424.tif 000009
【図８】
2004298424.tif 000010